(57)【要約】【課題】誤って循環パイプを打ち抜いてしまった場合にはこれを施工直後に確実に知ることができ、しかもこのために特別な施工を要することも、コスト高になることもない床暖房仕上げ材用の固定部材を提供する。【解決手段】熱媒通過用の循環パイプを配管してある放熱体上に床暖房仕上げ材を積層固定するための固定部材７である。この固定部材７は、床暖房仕上げ材側から放熱体側に向けて打ち込まれる表面平滑釘４から成る部材である。そして、表面平滑釘４の先端４ａ側から基端４ｂ側に一直線状に溝部５を凹設し、誤って循環パイプを打ち抜いた場合にはこの溝部５を通じて気密性を失わせるようにしてある。【選択図】図１
2007263405.tif 000002
【特許請求の範囲】
【請求項１】
熱媒通過用の循環パイプを配管してある放熱体上に床暖房仕上げ材を積層固定するために該床暖房仕上げ材側から該放熱体側に向けて打ち込まれる表面平滑釘から成る床暖房仕上げ材用の固定部材において、該表面平滑釘の先端側から基端側に一直線状に溝部を凹設してあることを特徴とする床暖房仕上げ材用の固定部材。
【発明の詳細な説明】
【技術分野】
【０００１】
本発明は、循環パイプを配管してある放熱体上に床暖房仕上げ材を積層固定するための固定部材に関するものである。
【背景技術】
【０００２】
循環パイプ１を配管してある放熱体２上に床暖房仕上げ材３を積層固定する工法においては、釘等の固定部材７や接着剤を用いることが一般的である。
【０００３】
積層固定用に用いられる固定部材７としては従来から図３に示すように多種多様なものがある。このうち図３（ａ）に示す固定部材７は、釘表面に螺旋状のねじ山８が形成してあるスクリューネイルであって、手作業又は電動釘打機等を用いて床暖房仕上げ材３側から放熱体２側に向けて打ち込むものであるが、近年にあっては図３（ｂ）、（ｃ）に示すような表面平滑釘４から成る固定部材７を用い、釘打機によりこの固定部材７を床暖房仕上げ材３側から該放熱体２側に向けて打ち込んでいく方法が一般的になっている。なお、ここでの表面平滑釘４とは、ねじ山等が形成されていない平滑な表面を有する釘部材であり、図３（ｂ）に示すものはフィニッシュネイル、図３（ｃ）に示すものはステイプルである。
【０００４】
上記のような表面平滑釘４から成る固定部材７にあっては、図４に示すように放熱体２中に配してある小根太９部分を打ち抜くように床暖房仕上げ材３側から打ち込むことが通常であるが、図５に示すように施工者が目視を誤って放熱体２中の循環パイプ１を打ち抜いてしまった場合には、施工直後の気密性又は水密性確認によってもこれに気付き難いといった問題がある。これは、循環パイプ１自体に伸縮性があるために、短期的には表面平滑釘４と循環パイプ１との間の密閉性が確保されてしまうからである。しかし、長期的には表面平滑釘４が酸化される等の経年変化が生じ、これにより突然の熱媒漏れに至って問題となるのである。
【０００５】
上記問題に対して、放熱体２と床暖房仕上げ材３との間に導電性シートを積層させておき、該導電性シートの導通状態を検出することで循環パイプ１からの熱媒漏れを発見しようとする方法も提案されている（特許文献１参照）。しかしこの方法にあっては導電性シートや検出回路を設ける必要があるので、施工が面倒であるとともにコスト高となって都合が悪い。
【特許文献１】特開平５−１８０７２３号公報
【発明の開示】
【発明が解決しようとする課題】
【０００６】
本発明は上記問題点に鑑みて発明したものであって、誤って循環パイプを打ち抜いてしまった場合にはこれを施工直後に確実に知ることができ、しかもそのために特別な施工を要することも、コスト高になることもない床暖房仕上げ材用の固定部材を提供することを、課題とするものである。
【課題を解決するための手段】
【０００７】
上記課題を解決するために本発明は、熱媒通過用の循環パイプ１を配管してある放熱体２上に床暖房仕上げ材３を積層固定するために該床暖房仕上げ材３から該放熱体２に向けて打ち込まれる表面平滑釘４から成る、床暖房仕上げ材３用の固定部材７において、該表面平滑釘４の先端４ａ側から基端４ｂ側に一直線状に溝部５を凹設してあることを特徴としたものとする。
【０００８】
上記構成から成る固定部材７にあっては、表面平滑釘４によって放熱体２中の循環パイプ１を打ち抜いてしまった場合には、この循環パイプ１自体に伸縮性があったとしても表面平滑釘４に凹設してある溝部５によって該循環パイプ１の気密性や水密性を失わせることができる。即ち、施工直後に循環パイプ１に空気や熱媒（水等）を注入するとともに該循環パイプ１内の空気圧や熱媒圧（水圧等）を監視しておけば、空気圧や熱媒圧が低下することによって循環パイプ１が表面平滑釘４で打ち抜かれていることを確実に知ることができるのである。しかもこの固定部材７は、溝部５を備えていない従来のものと同様の施工方法で床暖房仕上げ材３を積層固定することができるので、特別な施工方法が必要になることもなく、またコスト高を招くこともない。
【発明の効果】
【０００９】
本発明は、誤って循環パイプを打ち抜いてしまった場合にはこれを施工直後に確実に知ることができ、しかもそのために特別な施工を要することも、コスト高になることもないという効果を奏する。
【発明を実施するための最良の形態】
【００１０】
以下、本発明を添付図面に示す実施形態に基づいて説明する。図１には、本発明の実施形態における一例の固定部材７を示している。この固定部材７は図３（ｂ）、図４等に示した従来のものと同様に、熱媒の通過する循環パイプ１を蛇行した状態で配管してある放熱体２上に床暖房仕上げ材３を積層固定するために用いる、表面平滑釘４から成るフィニッシュネイルである。なお本例にあっては上記熱媒は水であり、上記放熱体２は温水マットである。
【００１１】
上記表面平滑釘４にあっては、その先鋭形状を成す先端４ａ側から基端４ｂ側に向けて一直線状に溝部５を形成してある。この溝部５は、図１（ｃ）に示すように表面平滑釘４の表面側から断面矩形状に凹設したものであるが、この断面形状には限定されず、例えば図１（ｄ）のような断面Ｖ字形状や図１（ｅ）のような断面Ｕ字形状であってもよいし、図１（ｆ）のように溝内の幅が開口幅よりも幅広となるような断面形状であってもよい。また図示例では溝部５を一本だけ形成しているが、複数本の溝部５を所定の隙間を介して平行に形成してあっても構わない。更に、溝部５は必ずしも先端４ａから基端４ｂにかけての全部に設ける必要はなく、図１（ｂ）に示すように、少なくとも循環パイプ１に貫通する箇所において先端４ａ側から基端４ｂ側に一直線状に溝部５が形成してあればよい。
【００１２】
上記表面平滑釘４から成る一例の固定部材７を用い、図４に示したように釘打機（図示せず）によって床暖房仕上げ材３側から該放熱体２側に向けて表面平滑釘４の先端４ａ側を一直線状に打ち込むことで、放熱体２上に床暖房仕上げ材３を積層固定することができる。
【００１３】
そして上記表面平滑釘４により、図５に示したように放熱体２中の循環パイプ１部分を打ち抜いてしまった場合には、施工直後の気密性又は水密性確認によってこの打ち抜きに確実に気付くことができる。つまり、床暖房仕上げ材３を積層固定した後に、循環パイプ１に空気や水を注入するとともに該循環パイプ１内の空気圧や水圧を監視しておけば、この空気圧や水圧が低下することによって、循環パイプ１が表面平滑釘４で打ち抜かれていることに確実に気付くものである。これは上記溝部５が、伸縮性を有する循環パイプ１と表面平滑釘４との間の密閉性を失わせるような形状及び深さに設けてあって、循環パイプ１内に注入された空気や水が上記一直線状の溝部５を通じて外部に漏出されるからである。
【００１４】
なお、溝部５は表面平滑釘４の先端４ａ側から基端４ｂ側へと同一断面形状で一直線状に形成してあるので、釘打機によりこの表面平滑釘４を一直線状に打ち込む際にも上記溝部５が邪魔になるようなことはなく、釘打ち作業は円滑に行われる。
【００１５】
次に、本発明の実施形態における他例の固定部材７について説明するが、一例と同様の構成については同一符号を付して詳細な説明を省略する。
【００１６】
他例の固定部材７は図２に示すようなものであって、一対の表面平滑釘４の基端４ｂ側を棒状の押え部６でコ字状に繋げて成るステイプルである。各表面平滑釘４には一例と同様の溝部５を凹設してある。上記一対の表面平滑釘４から成る他例の固定部材７を用い、これを釘打機によって床暖房仕上げ材３側から該放熱体２側に向けて打ち込むことで、床暖房仕上げ材３を積層固定することができる。なお、本例にあっても溝部５は図２（ａ）に示すように表面平滑釘４部分の先端４ａから基端４ｂにかけての全部に形成してあってもよいし、図２（ｂ）に示すように表面平滑釘４部分の循環パイプ１に貫通する箇所にだけ形成してあってもよい。また、図２（ｃ）に示すように両側の表面平滑釘４の溝部５同士を押え部６に一直線状に形成してある溝部５で連通させてあってもよい。
【００１７】
そして上記溝部５を有する一対の表面平滑釘４の少なくとも一方が放熱体２中の循環パイプ１を打ち抜いてしまった場合に、施工直後の気密性又は水密性確認によってこの打ち抜きに確実に気付くことが可能になっていることは、一例と同様である。
【００１８】
上記各例にあっては表面平滑釘４から成るフィニッシュネイルやステイプルに溝部５を形成したものについて説明してきたが、実施の形態はこれに限定されるものではない。即ち、一つ又は複数の表面平滑釘４で形成される固定部材７であれば、該表面平滑釘４部分に同様の溝部５を凹設して同様の効果を得ることができることは勿論である。
【図面の簡単な説明】
【００１９】
【図１】本発明の実施形態における一例の固定部材を示しており、（ａ）は概略正面図、（ｂ）は溝を短く形成した場合の概略正面図、（ｃ）は概略断面図、（ｄ）は別の溝形状とした場合の概略断面図、（ｅ）は更に別の溝形状とした場合の概略断面図、（ｆ）はまた更に別の溝形状とした場合の概略断面図である。
【図２】本発明の実施形態における他例の固定部材を示す説明図であり、（ａ）は溝を先端から基端まで形成した場合、（ｂ）は溝を短く形成した場合、（ｃ）は左右の溝を連通させた場合である。
【図３】従来の固定部材を示す概略正面図であり、（ａ）はスクリューネイル、（ｂ）はフィニッシュネイル、（ｃ）はステイプルである。
【図４】通常施工状態を示す説明用断面図である。
【図５】誤った施工状態を示す説明用断面図である。
【符号の説明】
【００２０】
１  循環パイプ
２  放熱体
３  床暖房仕上げ材
４  表面平滑釘
４ａ  先端
４ｂ  基端
５  溝部
７  固定部材
【図１】
2007263405.tif 000003
【図２】
2007263405.tif 000004
【図３】
2007263405.tif 000005
【図４】
2007263405.tif 000006
【図５】
2007263405.tif 000007